(57)【要約】      （修正有）【課題】吸水性をほぼ保持したまま、美しく印刷もできる織物を提供する。【解決手段】印刷面織物２２の経糸２８及び緯糸２４はポリエステル製で印刷用インクが付着しやすく、タオル織物２１の経糸２５、２６及び緯糸２３は綿製で吸水性が高い。上層の印刷面織物２２と下層のタオル織物２１とは二重織／二層織りで併行して織られ、下層連結点４１では、上層の印刷面織物２２の緯糸２４が、１６本に１本ごとに、下層のタオル織物２１の経糸２５に接結され、印刷面織物２２とタオル織物２１とが連結される。上層連結点４２では、下層のタオル織物２１の緯糸２３が、１６本に１本ごとに、上層の印刷面織物２２の経糸２８に接結され、印刷面織物２２とタオル織物２１とが連結される。【選択図】図１
0003207031.tif 000002
【実用新案登録請求の範囲】
【請求項１】
経糸と緯糸とが織られる織物の第一層と、この第一層に重ねて織られ、経糸と緯糸とが織られる織物の第二層とを備え、
上記第一層の経糸及び／または緯糸は、上記第二層の経糸または緯糸より吸水性の高い素材からなり、
上記第二層の経糸及び／または緯糸は、上記第一層の経糸または緯糸より印刷用インクが付着しやすい素材からなり、
上記第一層の緯糸は、当該第一層の経糸の１０本以上に一本、上記第二層の経糸の方に織られて、第一層と第二層とが連結され、
または、
上記第二層の緯糸は、当該第二層の経糸の１０本以上に一本、上記第一層の経糸の方に織られて、第一層と第二層とが連結されることを特徴とする織物。
【請求項２】
経糸と緯糸とが織られる織物の第一層と、この第一層に重ねて織られ、経糸と緯糸とが織られる織物の第二層とを備え、
上記第一層の経糸及び／または緯糸は、上記第二層の経糸または緯糸より吸水性の高い素材からなり、
上記第二層の経糸及び／または緯糸は、上記第一層の経糸または緯糸より印刷用インクが付着しやすい素材からなり、
上記第一層の経糸は、当該第一層の緯糸の１０本以上に一本、上記第二層の緯糸の方に織られて、第一層と第二層とが連結され、
または、
上記第二層の経糸は、当該第二層の緯糸の１０本以上に一本、上記第一層の緯糸の方に織られて、第一層と第二層とが連結されることを特徴とする織物。
【請求項３】
上記第一層の緯糸が上記第二層の経糸の方に織られる箇所と上記第二層の緯糸が上記第一層の経糸の方に織られる箇所とは一致していることを特徴とする請求項１記載の織物。
【請求項４】
上記第一層の経糸が上記第二層の緯糸の方に織られる箇所と上記第二層の経糸が上記第一層の緯糸の方に織られる箇所とは一致していることを特徴とする請求項１記載の織物。
【請求項５】
上記第一層と第二層とは周縁の一部または全部で連結または縫合されていることを特徴とする請求項３または４記載の織物。
【請求項６】
請求項１または２における、上記第一層と第二層とを連結する織りは、当該織物全体の中心と周縁との間であって、当該周縁に近い箇所に構成され、
しかも、当該周縁にほぼそって構成されることを特徴とする請求項５記載の織物。
【請求項７】
上記第二層の上記第一層とは反対側の全部または一部には写真、絵、図形、文字、記号または色彩が印刷され、上記第一層の上記第二層とは反対側の全部または一部にはパイルが形成され、上記第一層と第二層とを連結する織りを形成する糸にはパイルは形成されないことを特徴とする請求項６記載の織物。
【考案の詳細な説明】
【技術分野】
【０００１】
本考案は、タオルなどの織物などに関し、特に織物に美しく印刷できる織物などに関する。
【背景技術】
【０００２】
従来、織物に印刷をすることが考えられている。このような印刷は転写、インクジェットなど種々ある。タオルなどの綿からなる織物には、美しい印刷が難しかった。これは、綿の繊維に対して印刷用のインクが円滑に付着しなかったためである。
【０００３】
これに対して、ポリエステル、アクリルなどの化学繊維に対しては、印刷用のインクが円滑に付着する。しかし、タオルのように、吸水性が要求されるものにあっては、ポリエステル、アクリルなどの化学繊維を素材として使用すると、吸水性が低下してしまう問題があった。
【先行技術文献】
【特許文献】
【０００４】
【特許文献１】特開２００７−１４６３５９号公報
【特許文献２】特開２００４−２７９７１４号公報
【特許文献３】特願２０１３−２３０４１９号公報（未公開）
【特許文献４】特公平７−６２８５２号公報
【考案の概要】
【考案が解決しようとする課題】
【０００５】
本考案は、上述した課題を解決・達成するためになされたものであり、本考案の目的は、吸水性をほぼ保持したまま、美しく印刷もできるタオルなどの織物を提供することにある。
【課題を解決するための手段】
【０００６】
上記目的を達成するため、本考案は、    経糸と緯糸とが織られる織物の第一層と、この第一層に重ねて織られ、経糸と緯糸とが織られる織物の第二層とを備え、  上記第一層の経糸及び／または緯糸は、上記第二層の経糸または緯糸より吸水性の高い素材からなり、  上記第二層の経糸及び／または緯糸は、上記第一層の経糸または緯糸より印刷用インクが付着しやすい素材からなり、  上記第一層の緯糸は、当該第一層の経糸の１０本以上に一本、上記第二層の経糸の方に織られて、第一層と第二層とが連結され、  または、  上記第二層の緯糸は、当該第二層の経糸の１０本以上に一本、上記第一層の経糸の方に織られて、第一層と第二層とが連結される。
【０００７】
また、本考案は、  上記第一層の経糸は、当該第一層の緯糸の１０本以上に一本、上記第二層の緯糸の方に織られて、第一層と第二層とが連結され、  または、  上記第二層の経糸は、当該第二層の緯糸の１０本以上に一本、上記第一層の緯糸の方に織られて、第一層と第二層とが連結される。
【考案の効果】
【０００８】
これにより、第二層には印刷インクが付着しやすくて美しく印刷面を形成でき、第一層では効率よく吸水できて、タオルとしても使用しても不都合がない。また、上記第一層と第二層とを連結する織りが１０本以上に一本と少ないので、この連結する織箇所が目立たず、第二層に印刷面を形成した時、この印刷面が美しくなる。
【図面の簡単な説明】
【０００９】
【図１】第一実施形態の、上下二層に重ねられた、タオル織物２１（第一層、下層）と上の層の印刷面織物２２（第二層、上層）との断面であって、緯糸２３、２４の方向に沿った断面を示す。
【図２】第一実施形態の、上下二層に重ねられた、タオル織物２１（第一層、下層）と上の層の印刷面織物２２（第二層、上層）との断面であって、経糸２５、２６、２８の方向に沿った断面を示す。
【図３】第二実施形態の、上下二層に重ねられた、タオル織物１（第一層、下層）と上の層の印刷面織物２（第二層、上層）との断面であって、緯糸３、４の方向に沿った断面を示す。
【図４】第二実施形態の、上下二層に重ねられた、タオル織物１（第一層、下層）と上の層の印刷面織物２（第二層、上層）との断面であって、経糸５、６、８の方向に沿った断面を示す。
【図５】第一実施形態及び第二実施形態の、織物の全体外観を示す。
【考案を実施するための形態】
【００１０】
（１）織機で織られる上下二層のタオル織物１と印刷面織物２
図１は、上下二層に重ねられた、下の層のタオル織物２１（第一層、下層）と上の層の印刷面織物２２（第二層、上層）との断面を示す。図１は、緯糸２３、２４の方向に沿った断面であり、タオル織物２１（第一層、下層）と印刷面織物２２（第二層、上層）とを長手方向／縦方向から見たものである。図２は、経糸２５，２６、２８の方向に沿った断面であり、タオル織物２１（第一層、下層）と印刷面織物２２（第二層、上層）とを幅方向／横方向から見たものである。
【００１１】
下側のタオル織物２１は、綿の経糸２５、２６と同じく綿の緯糸３とを織り、しかもこれら経糸２６にパイル２７が形成され、タオル織物１が織られる。経糸２５にパイル７は形成されない、地糸（地経糸）となっている。このタオル織物２１は、吸水性を優先するため、比較的凹凸がある。
【００１２】
この綿の経糸２５、２６及び緯糸２３は吸水性の高い素材で、次述する印刷面織物２２の経糸２８及び緯糸２４より吸水性が高く、水、汗などの水分の吸水性に優れて、この吸水性はパイル７によってさらに向上する。タオル織物２１の経糸２５、２６及び緯糸２３の糸の色は任意であり、白、赤、黄、青、緑、茶などの有彩色、黒、灰などの無彩色、これらの混合色など、任意である。
【００１３】
上側の印刷面織物２２は、ポリエステルの経糸２８と同じくポリエステルの緯糸２４が織られる。この印刷面織物２２は、パイル２７のない織物である。このポリエステルの経糸２８及び緯糸２４は、上記タオル織物２１の経糸２５、２６及び緯糸２３より、印刷用インクが付着しやすい素材であり、印刷用インクが付着し易く、しかもこの印刷用インクが糸の中に浸み込みにくく、変色もしにくい。
【００１４】
印刷面織物２２の経糸２８及び緯糸２４の色は白色であり、反射率も高く、印刷用インクの色が鮮やかに際立つ色に設定される。しかし、場合によって、赤、黄、青、緑、茶などの有彩色、黒、灰などの無彩色、これらの混合色などでもよい。印刷面織物２２は、印刷を美しくするため、凹凸がなくきめが細かく滑らかである。
【００１５】
上記タオル織物２１（第一層、下層）の緯糸２３は、経糸２５（地経糸）及び経糸２６（パイル経糸）に絡み／接結し、タオル織物２１が織り込まれていく。この緯糸２３は、経糸２５、２６所定本以上に一本、例えば１０本以上ごとに一本、具体的には１６本ごとに一本、上層の印刷面織物２２（第二層、上層）の経糸２８に絡んだ／接結した後、再びタオル織物２１の経糸２５、２６に絡んで／接結して織られていく。
【００１６】
また、上記印刷面織物２２（第二層、上層）の緯糸２４は、経糸２８に絡み／接結し、印刷面織物２２が織り込まれていく。この緯糸２４は、経糸２８所定本以上に一本、例えば１０本以上ごとに一本、具体的には１６本ごとに一本、下層のタオル織物２１（第一層、下層）の経糸２５（場合によって経糸２６）に絡んだ後、再び印刷面織物２２の経糸２８に絡んで／接結されて織られていく。
【００１７】
このような上層の印刷面織物２２の緯糸２４が下層のタオル織物２１の経糸２５、２６に絡む／接結する箇所を、下層連結点４１と呼ぶ。また、下層のタオル織物２１の緯糸２３が上層の印刷面織物２２の経糸２８に絡む／接結する箇所を、上層連結点４２と呼ぶ。これら下層連結点４１と上層連結点４２とは、タオル織物２１（第一層、下層）と印刷面織物２２（第二層、上層）とを連結する織り／接結となる。
【００１８】
下層連結点４１と上層連結点４２とは同じ箇所で形成され一致している。これにより、下層連結点４１と上層連結点４２とにおける連結が強くなり、タオル織物２１（第一層、下層）と印刷面織物２２（第二層、上層）とを強く連結できる。下層連結点４１では、タオル織物２１の緯糸２３の中に緯糸２４が露出し、上層連結点４２では、印刷面織物２２の緯糸２４の中に緯糸２３が露出して、下層連結点４１と上層連結点４２の箇所がわかりやすくなる。
【００１９】
上記下層連結点４１と上層連結点４２とは、場合によって、一致していなくてもよいし、片方のみが省略されてもよい。この場合、下層連結点４１では、印刷面織物２２（第二層、上層）の緯糸２４は、タオル織物２１（第二層、上層）の経糸２５、２６に絡まず／接結されず、上層の印刷面織物２２の経糸２８に絡む／接結する。これにより、下層連結点４１では、周囲の経糸２５、２６と同じ経糸２５、２６が露出するので、下層連結点１１が目立たなくなる。
【００２０】
また、上層連結点４２では、タオル織物２１（第一層、下層）の緯糸２３は、印刷面織物２（第二層、上層）の経糸２８に絡まず／接結されず、下層のタオル織物２１の経糸２５、２６に絡む／接結する。これにより、上層連結点４２では、周囲の経糸２８と同じ経糸２８が露出するので、上層連結点４２が目立たなくなる。
【００２１】
上記タオル織物１の上記印刷面織物２とは反対側の前面には上記パイル７が形成され、上記タオル織物１と印刷面織物２とを連結する織りである、下層連結点１１及び上層連結点１２を形成する経糸５、８にはパイル７は形成されない。パイル７は経糸６の方に形成される。これにより、タオル織物１と印刷面織物２とを引き離すような力が働いても、パイル７が引き込まれて小さくならない。
【００２２】
（２）織機で織られる上下二層のタオル織物１と印刷面織物２
図３及び図４は第二実施形態を示す。第二実施形態は、上記第一実施形態において、経糸と緯糸とそっくり入れ替えたものである。このような場合でも、同様の作用効果を奏する。
【００２３】
図３は、上下二層に重ねられた、下の層のタオル織物１（第一層、下層）と上の層の印刷面織物２（第二層、上層）との断面を示す。図１は、緯糸３、４の方向に沿った断面であり、タオル織物１（第一層、下層）と印刷面織物２（第二層、上層）とを長手方向／縦方向から見たものである。図４は、経糸５、６、８の方向に沿った断面であり、タオル織物１（第一層、下層）と印刷面織物２（第二層、上層）とを幅方向／横方向から見たものである。
【００２４】
下側のタオル織物１は、綿の経糸５、６と同じく綿の緯糸３とを織り、しかもこれら経糸６にパイル７が形成され、タオル織物１が織られる。経糸５にパイル７は形成されない、地糸（地経糸）となっている。このタオル織物１は、吸水性を優先するため、比較的凹凸がある。
【００２５】
この綿の経糸５、６及び緯糸３は吸水性の高い素材で、次述する印刷面織物２の経糸８及び緯糸４より吸水性が高く、水、汗などの水分の吸水性に優れて、この吸水性はパイル７によってさらに向上する。タオル織物１の経糸５、６及び緯糸３の糸の色は任意であり、白、赤、黄、青、緑、茶などの有彩色、黒、灰などの無彩色、これらの混合色など、任意である。
【００２６】
上側の印刷面織物２は、ポリエステルの経糸８と同じくポリエステルの緯糸４が織られる。この印刷面織物２は、パイル７のない織物である。このポリエステルの経糸８及び緯糸４は、上記タオル織物１の経糸５、６及び緯糸３より、印刷用インクが付着しやすい素材であり、印刷用インクが付着し易く、しかもこの印刷用インクが糸の中に浸み込みにくく、変色もしにくい。
【００２７】
印刷面織物２の経糸８及び緯糸４の色は白色であり、反射率も高く、印刷用インクの色が鮮やかに際立つ色に設定される。しかし、場合によって、赤、黄、青、緑、茶などの有彩色、黒、灰などの無彩色、これらの混合色などでもよい。印刷面織物２は、印刷を美しくするため、凹凸がなくきめが細かく滑らかである。
【００２８】
上記タオル織物１（第一層、下層）の経糸５（地経糸）及び経糸６（パイル経糸）は、緯糸３に絡み／接結し、タオル織物１が織り込まれていく。この経糸５は、緯糸３所定本以上に一本、例えば１０本以上ごとに一本、具体的には１６本ごとに一本、上層の印刷面織物２（第二層、上層）の緯糸４に絡んだ／接結した後、再びタオル織物１の緯糸３に絡んで／接結して織られていく。
【００２９】
また、上記印刷面織物２（第二層、上層）の経糸８は、緯糸４に絡み／接結し、印刷面織物２が織り込まれていく。この経糸８は、緯糸４所定本以上に一本、例えば１０本以上ごとに一本、具体的には１６本ごとに一本、下層のタオル織物１（第一層、下層）の緯糸３に絡んだ後、再び印刷面織物２の緯糸４に絡んで／接結されて織られていく。
【００３０】
このような上層の印刷面織物２の経糸８が下層のタオル織物１の緯糸３に絡む／接結する箇所を、下層連結点１１と呼ぶ。また、下層のタオル織物１の経糸５が上層の印刷面織物２の緯糸４に絡む／接結する箇所を、上層連結点１２と呼ぶ。これら下層連結点１１と上層連結点１２とは、タオル織物１（第一層、下層）と印刷面織物２（第二層、上層）とを連結する織り／接結となる。
【００３１】
下層連結点１１と上層連結点１２とは同じ箇所で形成され一致している。これにより、下層連結点１１と上層連結点１２とにおける連結／接結が強くなり、タオル織物１（第一層、下層）と印刷面織物２（第二層、上層）とを強く連結できる。下層連結点１１では、タオル織物１の経糸５の中に経糸８が露出し、上層連結点１２では、印刷面織物２の経糸８の中に経糸５が露出して、下層連結点１１と上層連結点１２の箇所がわかりやすくなる。
【００３２】
上記下層連結点１１と上層連結点１２とは、場合によって、一致していなくてもよいし、片方のみが省略されてもよい。この場合、下層連結点１１では、印刷面織物２（第二層、上層）の経糸８は、タオル織物１（第一層、下層）の緯糸３に絡まず／接結されず、上層の印刷面織物２の緯糸４に絡む／接結する。これにより、下層連結点１１では、周囲の緯糸３と同じ緯糸３が露出するので、下層連結点１１が目立たなくなる。
【００３３】
また、上層連結点１２では、タオル織物１（第一層、下層）の経糸５（場合によって経糸６）は、印刷面織物２（第二層、上層）の緯糸４に絡まず／接結されず、下層のタオル織物１の緯糸３に絡む／接結する。これにより、上層連結点１２では、周囲の緯糸４と同じ緯糸４が露出するので、上層連結点１２が目立たなくなる。
【００３４】
上記タオル織物２１の上記印刷面織物２２とは反対側の前面には上記パイル２７が形成され、上記タオル織物２１と印刷面織物２２とを連結する織りである、下層連結点４１及び上層連結点４２を形成する緯糸２３、２４にはパイル２７は形成されない。パイル２７は経糸２６に形成される。これにより、タオル織物２１と印刷面織物２２とを引き離すような力が働いても、パイル２７が引き込まれて小さくならない。
【００３５】
（３）織物の全体外観
図５は、第一実施形態及び第二実施形態の織物の全体外観を示し、印刷面織物２（第二層、上層）が上になった状態を示し、タオル織物１（第一層、下層）は印刷面織物２の下に隠れている。織物は長方形状であり、この長方形の２つの長辺の端縁に沿ってタオル織物１の面側に帯状の当布（図示せず）が当てられ、細かい縁かがり縫い３１、３１がなされている。
【００３６】
また、上記長方形の２つの短編の端縁に沿ってタオル織物１及び印刷面織物２の両面側に帯状の縁当布３２、３２が中央長手方向に沿って折り曲げられて当てられ、縫合がなされている。これにより、織物の周縁に沿って縫合され連結され、織物の周縁がほつれず、タオル織物１と印刷面織物２とが容易に分離しない。
【００３７】
上記下層連結点１１（４１）及び上層連結点１２（４２）は、上記長辺側の縁かがり縫い３１、３１のやや内側に、この縁かがり縫い３１、３１に平行に設けられている。この下層連結点１１（４１）及び上層連結点１２（４２）とこれらに近い方の縁かがり縫い３１、３１との間隔は、織物の幅の約１／１０ほどである。
【００３８】
また、下層連結点１１（４１）及び上層連結点１２（４２）は、上記短辺側の縁当布３２、３２のやや内側に、この縁当布３２、３２に平行に設けられている。この下層連結点１１（４１）及び上層連結点１２（４２）とこれらに近い方の縁当布３２、３２との間隔は、同じく織物の幅の約１／１０ほどである。
【００３９】
したがって、下層連結点１１（４１）及び上層連結点１２（４２）は、織物全体の中心と周縁との間であって、当該周縁に近い箇所に構成され、しかも、当該周縁にほぼそって構成される。これにより、印刷面織物２（第二層、上層）に印刷面を形成したとき、上記印刷面織物２とタオル織物１とを連結する下層連結点１１（４１）及び上層連結点１２（４２）が、この印刷面織物２の印刷面の中心から離れた目立たない位置に形成され、印刷面織物２の印刷面が美しくなる。
【００４０】
（４）印刷面織物２への印刷
インクジェットプリンタ、レーザープリンタ、その他のプリンタで、上記印刷面織物２、２２の表面に印刷される写真、絵、図形、文字、記号または色彩などの画像が表裏反転されて裏向きに紙に印刷される。
【００４１】
この印刷された紙は印刷面が、印刷面織物２、２２の表面／印刷面、つまり印刷面織物２、２２のタオル織物１、２１とは反対側の面に当接され、上下からステンレス板、その他の金属板で挟まれて、圧力がかけられ、あわせて加熱される。これにより、紙の印刷面が印刷面織物２、２２の表面／印刷面に、表向きの画像が熱転写される。
【００４２】
上記印刷面を印刷するプリンタは、インクジェットプリンタのほか、レーザープリンタ、その他のプリンタでもよく、印刷方法は、熱プレス転写のほか、常温転写、シール転写のほか、織られた織物に、インクジェットなどで直接に印刷されてもよい。このような印刷は、上記縁かがり縫い３１、３１及び縁当布３２、３２の縫製の前に行われるが、後に行われてもよい。
【００４３】
（５）織物の織り方
このようなタオル織物１、２１と印刷面織物２、２２との二層の織物を織る織機は公知である。しかし、念のため以下に簡単に説明する。
【００４４】
タオル織物１（２１）の経糸５、６（２５、２６）と印刷面織物２（２２）の経糸８（２８）とは、交互に配置され、上下二層に分けられ、二層織りの織機の上下の筬／綜絖などに配置される。そして、タオル織物１（２１）の経糸５、６（２５、２６）が、下の筬／綜絖によって交互に引き上げ／引き下げられて、緯糸３（２３）が打ち込まれ、タオル織物１（２１）が織られていく。
【００４５】
同時に、印刷面織物２（２２）の経糸８（２８）が、上の筬／綜絖によって交互に引き上げ／引き下げられて、緯糸４（２４）が打ち込まれ、印刷面織物２（２２）が織られていく。この場合、タオル織物１（２１）の経糸５、６（２５、２６）の筬／綜絖と、印刷面織物２（２２）の経糸８（２８）の筬／綜絖とは交互に配置され、かつ上下に分かれて配置されている。
【００４６】
そして、下層連結点１１（４１）（上層連結点１２（４２））では、下層のタオル織物１（２１）の経糸５、６（２５、２６）の筬／綜絖を、上層の印刷面織物２（２２）の緯糸３（２３）より上に上げて、緯糸４（２４）を打ち込んで通す。これにより、下層のタオル織物１（２１）の経糸５、６（２５、２６）の下を、上層の印刷面織物２（２２）の緯糸４（２４）が通って、上記下層連結点１１（４１）が形成される。
【００４７】
また、上層連結点１２（４２）（下層連結点１１（４１））では、上層の印刷面織物２（２２）の経糸８（２８）の筬／綜絖を、下層のタオル織物１（２１）の経糸５、６（２５、２６）より下に下げて、緯糸３（２３）を打ち込んで通す。これにより、上層の印刷面織物２（２２）の経糸８（２８）の上を、下層のタオル織物１（２１）の緯糸３（２３）が通って、上記上層連結点１２（４２）が形成される。
【００４８】
上述の各実施形態において、当該実施形態で記載されていないことは、他の実施形態の記載されている内容が参照及び引用される。本願明細書及び請求の範囲においては、上記複数の実施形態にわたって、各部または一部を入れ替えた実施形態も、上記各実施形態として記載されているものである。
【００４９】
（６）他の実施の形態
本考案は、上記実施形態に限定されず、種々変更可能である。例えば、上記織物は、タオルのほか、ふきん、手ぬぐい、ハンカチ、ふくさ、ふろしき、ティーシャツ、下着、被服、かや、敷布、布団、布団カバー、布団側、まくらカバー、毛布、アイマスク、エプロン、えり巻き、靴下、ゲートル、毛皮製ストール、ショール、スカーフ、足袋、足袋カバー、手袋、ネクタイ、ネッカチーフ、バンダナ、保温用サポーター、マフラー、耳覆いなどでもよい。
【００５０】
上記織られる織物は、ジャガード織、コブラン織、ドビー織、タペット織、クランク織、つづれ織、タオル織、レピア織、むしろ織等なんでも良く、織り方も平織、斜文織、繻子織、斜め織等なんでもよい。
【００５１】
上層連結点１２、４２、下層連結点１１、４１は、１６本に１本の割合ではなく、２０本に１本、３０本に１本、４０本に１本、５０本に１本、…、１０本に１本、９本に１本、８本に１本、…、５本に１本、…、３本に１本、２本に１本等、任意である。パイル７、２７は、緯糸３、２３の３本にまたがるほか、２本にまたがる、１本にまたがる、４本にまたがる、５本にまたがる、…など、任意である。
【００５２】
上記織物は、タオル織物１、２１（第一層、下層）と印刷面織物２、２２（第二層、上層）からなる二層織りであったが、さらに第三層、第四層…が積層されていてもよい。この第三層、第四層…は、上記タオル織物１、２１（第一層、下層）、上記印刷面織物２、２２（第二層、上層）と同じでもよいし、不織布など、他の構造の布であってもよい。上記織物は、一重織であったが、二重織、三重織、多重織、二層織、多層織でもよい。
【００５３】
上記印刷用インクが付着しやすい糸の素材は、ポリエステルのほか、アクリル、ナイロン、ポリウレタン、ポリエステルなどの合成繊維、若しくはこれらの混紡の糸、レーヨンなどの再生繊維、アセテートなどの半合成繊維などの化学繊維からなる糸またはこれらの混紡の糸でもよい。上記吸水性の高い糸の素材は、綿のほか、麻、羊毛、綿などの植物繊維、若しくはこれらの混紡、または動物繊維と化学繊維のとの混紡の糸でもよいし、吸水性の高い他の繊維の糸でもよい。
【００５４】
上記印刷用インクが付着しやすい糸の素材は、糸の表面に撥水加工をした糸、糸の各繊維が太くて糸の繊維の数が少なく、糸の各繊維の隙間が少なくて印刷インクが浸み込みにくい糸、糸を撚るときの力が強くて糸の各繊維の間の隙間が押し縮められて、糸の各繊維の隙間が少なくて印刷インクが浸み込みにくい糸など、糸の構造として印刷用インクが付着しやすくてもよい。この場合、上記印刷用インクが付着しやすい糸の素材一部または全部は、上記麻、羊毛、綿などでもよいことになる。
【００５５】
上記吸水性の高い糸の素材は、糸の表面に凹凸加工をした糸、糸の各繊維が細くて糸の繊維の数が多く、糸の各繊維の隙間が多くて水などが浸み込みやすい糸、糸を撚るときの力が弱くて糸の各繊維の間の隙間が残されて、糸の各繊維の隙間が多くて水などが浸み込みやすい糸など、糸の構造として吸水性が高くてもよい。この場合、上記吸水性の高い糸の素材の一部または全部は、上記アクリル、ナイロン、ポリウレタン、ポリエステルなどでもよいことになる。
【００５６】
上記タオル織物１、２１（第一層、下層）と印刷面織物２、２２（第二層、上層）とを連結する織りは、織物の周縁に近い箇所以外に、織物の中心の付近または中心に近い箇所に構成されてもよい。上記タオル織物１、２１（第一層、下層）と印刷面織物２、２２（第二層、上層）とを連結する織りは、織物の周縁に近い箇所に構成されなくてもよく、例えば織物全体に均一に構成されてもよい。上記タオル織物１、２１（第一層、下層）と印刷面織物２、２２（第二層、上層）とを連結する織りは、織物の周縁に平行に沿わずに、ジグザグに構成されてもよい。
【００５７】
上記タオル織物１、２１のパイル７、２７の一部または全部は無くてもよい。印刷面織物２、２２の一部または全部にもパイル７、２７が形成されてもよい。印刷面織物２、２２の印刷面の一部または全部は無くてもよい。タオル織物１、２１の一部または全部にも印刷面が形成されてもよい。
【００５８】
上記タオル織物１、２１と印刷面織物２、２２とは周縁の全部で縫合されたが、一部で縫合されてもよいし、接着剤、高周波溶着、その他の連結手段で連結されてもよい。タオル織物１、２１と印刷面織物２、２２とは別々に織られた後、重ねられて互いに縫合されてもよい。
【００５９】
上記タオル織物１、２１の経糸５、６、２５、２６、緯糸３、２３、印刷面織物２、２２の経糸８、２８、緯糸４、２４は、白色以外に、灰色、透明、その他の無彩色または有彩色、若しくはこれらの薄い色でもよいし、有彩色のほか、白色、灰色、透明、その他の無彩色または有彩色、若しくはこれらの薄い色でもよい。
【００６０】
上記印刷される紙は、代わりに樹脂、金属、ガラス、布、ゴム、セラミックなどの、ドラム、ロールまたはシートなどでもよい。織物への印刷は、熱転写型、熱溶融型、昇華型、感熱型、放電破壊型、光露光加圧定着型、インクジェット型、ドットインパクト型、乾式電子写真型、フルカラー型、白黒型、レーザープリンタ型、液晶プリンタ型など何でもよく、凸版、凹版、平版、孔版、無版式、上記転写式のほか、織物へ直接印刷する直接式など何でもよい。
【００６１】
上記タオル織物１、２１の経糸５、６、２５、２６、緯糸３、２３、印刷面織物２、２２の経糸８、２８、緯糸４、２４は、単糸であり、いずれの太さも同じであるが、このうち一方が他方より太くまたは細くて太さが異なっていてもよく、いずれも撚られていない単糸であったが、二本以上の糸が撚られてもよい。このような糸の撚りは、右撚、左撚、片撚、諸撚、駒撚、壁撚、飾撚、いずれでもよい。なお、図1〜図４では、経糸６、２６は鎖線で、他の経糸５、２５、８、２８、緯糸３、２３、４、２４より細く見えるが同じ太さである。
【００６２】
上記タオル織物１、２１の経糸５、６、２５、２６、緯糸３、２３、印刷面織物２、２２の経糸８、２８、緯糸４、２４は、経糸と緯糸とをそっくり入れ替えて実施可能であり、単数でも複数でも３つ以上でもよいし、これらそれぞれの一部または全体は省略されてもよいし、分割分離されてその数が増えても減ってもよいし、均等の他の物に置き換えられてもよいし、これらの２つまたは３つ以上が合体または一体化されて兼用されてもよいし、向きは図示のもののほか、９０度、０度乃至１８０度、上下、左右、前後、手前、奥に傾斜／向きを変えて／反転されて使用されてもよい。
【００６３】
上記第一層の経糸、緯糸、第二層の経糸、緯糸の織られる密度または単位長さあたり織の本数は、５０本〜５００本／インチで、同じであるが、一方が他方より大きいまたは小さくて異なっていてもよい。タオル織物１、２１の経糸５、６、２５、２６、緯糸３、２３、印刷面織物２、２２の経糸８、２８、緯糸４、２４の太さは、１０〜４０番手、２５〜１０００デニールであるが、これより太くても、細くてもよい。織物の坪量は、１インチ平方あたり０．５ｇ〜５０ｇであるが、これ以外でもよい。
【００６４】
上記タオル織物１、２１（第一層、下層）、印刷面織物２、２２（第二層、上層）、緯糸３、４、２３、２４、経糸５、６、２５、２６、パイル７、２７、経糸８、２８、縁かがり縫い３１、３１、縁当布３２、３２、下層連結点１１、４１、上層連結点１２、４２は、単数でも複数でも３つ以上でもよいし、これらそれぞれの一部または全体は省略されてもよいし、分割分離されてその数が増えても減ってもよいし、その形状は任意に変更可能であり、均等の他の物に置き換えられてもよいし、これらの２つまたは３つ以上が合体または一体化されて兼用されてもよいし、向きは図示のもののほか、９０度、０度乃至１８０度、上下、左右、前後、手前、奥に傾斜／向きを変えて／反転されて使用されてもよいし、それぞれの寸法の相対的大小は切り換えられてもよいし同じでもよい。
【００６５】
（８）他の考案の効果
［１］経糸と緯糸とが織られる織物の第一層と、この第一層に重ねて織られ、経糸と緯糸とが織られる織物の第二層とを備え、  上記第一層の経糸及び／または緯糸は、上記第二層の経糸または緯糸より吸水性の高い素材からなり、  上記第二層の経糸及び／または緯糸は、上記第一層の経糸または緯糸より印刷用インクが付着しやすい素材からなり、  上記第一層の緯糸は、当該第一層の経糸の１０本以上に一本、上記第二層の経糸の方に織られて、第一層と第二層とが連結され、  または、  上記第二層の緯糸は、当該第二層の経糸の１０本以上に一本、上記第一層の経糸の方に織られて、第一層と第二層とが連結されることを特徴とする織物。
【００６６】
［２］経糸と緯糸とが織られる織物の第一層と、この第一層に重ねて織られ、経糸と緯糸とが織られる織物の第二層とを備え、  上記第一層の経糸及び／または緯糸は、上記第二層の経糸または緯糸より吸水性の高い素材からなり、  上記第二層の経糸及び／または緯糸は、上記第一層の経糸または緯糸より印刷用インクが付着しやすい素材からなり、  上記第一層の経糸は、当該第一層の緯糸の１０本以上に一本、上記第二層の緯糸の方に織られて、第一層と第二層とが連結され、  または、  上記第二層の経糸は、当該第二層の緯糸の１０本以上に一本、上記第一層の緯糸の方に織られて、第一層と第二層とが連結されることを特徴とする織物。
【００６７】
［３］上記第一層の緯糸が上記第二層の経糸の方に織られる箇所と上記第二層の緯糸が上記第一層の経糸の方に織られる箇所とは一致していることを特徴とする請求項１記載の織物。これにより、この両織られる箇所の連結／接結が強くなり、第一層と第二層とが強く連結される。
【００６８】
［４］上記第一層の経糸が上記第二層の緯糸の方に織られる箇所と上記第二層の経糸が上記第一層の緯糸の方に織られる箇所とは一致していることを特徴とする請求項１記載の織物。これにより、この両織られる箇所の連結／接結が強くなり、第一層と第二層とが強く連結される。
【００６９】
［５］上記第一層と第二層とは周縁の一部または全部で連結または縫合されていることを特徴とする請求項３または４記載の織物。  これにより、織物の周縁がほつれず、織物の第一層と第二層とが周縁で連結され、第一層と第二層とが容易に分離しない。
【００７０】
［６］請求項１または２における、上記第一層と第二層とを連結する織りは、当該織物全体の中心と周縁との間であって、当該周縁に近い箇所に構成され、  しかも、当該周縁にほぼそって構成されることを特徴とする請求項５記載の織物。  これにより、第二層に印刷面を形成したとき、上記第一層と第二層とを連結する織り箇所が、この印刷面の中心から離れた目立たない位置に形成され、印刷面が美しくなる。
【００７１】
［７］上記第二層の上記第一層とは反対側の全部または一部には写真、絵、図形、文字、記号または色彩が印刷され、上記第一層の上記第二層とは反対側の全部または一部にはパイルが形成され、上記第一層と第二層とを連結する織りを形成する糸にはパイルは形成されないことを特徴とする請求項６記載の織物。  これにより、印刷面を備えた吸水性のよい織物を提供できる。また、第一層と第二層とが引き離すような力が働いてもパイルが引き込まれて小さくならない。
【産業上の利用可能性】
【００７２】
綿糸の割合を少なくせず、ポリエステル糸の印刷面への露出面積を増やして、織物への印刷を美しくする。経糸３…はすべて綿糸４…であり、緯糸２…はポリエステル糸５…と綿糸４…とが交互に配置される。ポリエステル糸５…は、綿糸４…に比べて、インクの付着性がよく、印刷面で上げ状態が多くなるように織られ、印刷面への露出面積が増加し、美しく印刷される。
【００７３】
ポリエステル糸５…は二本の糸が撚られ、綿糸４…は単糸で撚られず、織った後、ポリエステル糸５…は弛み、ポリエステル糸５…の印刷面における露出面積が増加する。ポリエステル糸５…の太さは、綿糸４…の太さより太く、ポリエステル糸５…の印刷面における露出面積が増加する。
【符号の説明】
【００７４】
１、２１…タオル織物  ２、２２…印刷面織物
３、４、２３、２４…緯糸  ５、６、２５、２６…経糸
７、２７…パイル  ８、２８…経糸
３１…縁かがり縫い  ３２…縁当布
１１、４１…下層連結点  １２、４２…上層連結点
【図１】
0003207031.tif 000003
【図２】
0003207031.tif 000004
【図３】
0003207031.tif 000005
【図４】
0003207031.tif 000006
【図５】
0003207031.tif 000007
【手続補正書】
【提出日】平成28年8月6日(2016.8.6)
【手続補正１】
【補正対象書類名】実用新案登録請求の範囲
【補正対象項目名】全文
【補正方法】変更
【補正の内容】
【実用新案登録請求の範囲】
【請求項１】
経糸と緯糸とが織られる織物の第一層と、この第一層に重ねて織られ、経糸と緯糸とが織られる織物の第二層とを備え、
上記第一層の経糸及び／または緯糸は、上記第二層の経糸または緯糸より吸水性の高い素材からなり、
上記第二層の経糸及び／または緯糸は、上記第一層の経糸または緯糸より印刷用インクが付着しやすい素材からなり、
上記第一層の緯糸は、当該第一層の経糸の１０本以上に一本、上記第二層の経糸の方に織られて、第一層と第二層とが連結され、
または、
上記第二層の緯糸は、当該第二層の経糸の１０本以上に一本、上記第一層の経糸の方に織られて、第一層と第二層とが連結されることを特徴とする織物。
【請求項２】
経糸と緯糸とが織られる織物の第一層と、この第一層に重ねて織られ、経糸と緯糸とが織られる織物の第二層とを備え、
上記第一層の経糸及び／または緯糸は、上記第二層の経糸または緯糸より吸水性の高い素材からなり、
上記第二層の経糸及び／または緯糸は、上記第一層の経糸または緯糸より印刷用インクが付着しやすい素材からなり、
上記第一層の経糸は、当該第一層の緯糸の１０本以上に一本、上記第二層の緯糸の方に織られて、第一層と第二層とが連結され、
または、
上記第二層の経糸は、当該第二層の緯糸の１０本以上に一本、上記第一層の緯糸の方に織られて、第一層と第二層とが連結されることを特徴とする織物。
【請求項３】
上記第一層の緯糸は、当該第一層の経糸の１０本以上に一本、上記第二層の経糸の方に織られて、第一層と第二層とが連結され、
かつ、
上記第二層の緯糸は、当該第二層の経糸の１０本以上に一本、上記第一層の経糸の方に織られて、第一層と第二層とが連結され、
上記第一層の緯糸が上記第二層の経糸の方に織られる箇所と上記第二層の緯糸が上記第一層の経糸の方に織られる箇所とは一致していることを特徴とする請求項１記載の織物。
【請求項４】
上記第一層の経糸は、当該第一層の緯糸の１０本以上に一本、上記第二層の緯糸の方に織られて、第一層と第二層とが連結され、
かつ、
上記第二層の経糸は、当該第二層の緯糸の１０本以上に一本、上記第一層の緯糸の方に織られて、第一層と第二層とが連結され、
上記第一層の経糸が上記第二層の緯糸の方に織られる箇所と上記第二層の経糸が上記第一層の緯糸の方に織られる箇所とは一致していることを特徴とする請求項２記載の織物。
【請求項５】
上記第一層と第二層とは周縁の一部または全部で連結または縫合されていることを特徴とする請求項３または４記載の織物。
【請求項６】
請求項１または２における、上記第一層と第二層とを連結する織りは、当該織物全体の中心と周縁との間であって、当該周縁に近い箇所に構成され、
しかも、当該周縁にほぼそって構成されることを特徴とする請求項５記載の織物。
【請求項７】
上記第二層の上記第一層とは反対側の全部または一部には写真、絵、図形、文字、記号または色彩が印刷され、上記第一層の上記第二層とは反対側の全部または一部にはパイルが形成され、上記第一層と第二層とを連結する織りを形成する糸にはパイルは形成されないことを特徴とする請求項６記載の織物。